(57)【要約】【課題】装着溝の加工のばらつきにより装着溝の開口幅が設計値より小さく形成されてもガスケット本体に過圧縮が発生しにくく、設計値より大きく形成されても流体の漏れが発生しにくいフィルター付きガスケットを提供する。【解決手段】フィルターを保持するガスケット本体は、軸方向一端のフィルター保持部と他端の固定部との間に屈曲部を有する。固定部は溝底面への締め代が設定されるとともにフィルター保持部および屈曲部は溝底面に対し非接触とされる。装着溝の加工のばらつきにより装着溝の開口幅が設計値より小さいときは、屈曲部が径方向内方へ向け屈曲し、屈曲した屈曲部に対し流体圧が作用することにより屈曲部は屈曲の度合いを高めるように変形する。装着溝の加工のばらつきにより装着溝の開口幅が設計値より大きいときは、屈曲部は殆ど変形せず、屈曲部に対し流体圧が作用することにより屈曲部は溝底面に押し付けられる。【選択図】図１
2015075212.tif 000002
【特許請求の範囲】
【請求項１】
フィルターの周縁部をゴム状弾性体製のガスケット本体にて保持した構造であるとともに、径方向内方へ向け開口したガスケット装着溝に装着され、前記装着溝に装着されたときに前記ガスケット本体が軸方向に圧縮される構造のフィルター付きガスケットであって、
前記ガスケット本体は、軸方向一端のフィルター保持部と軸方向他端の前記装着溝への固定部との間に屈曲部を有し、
前記固定部はその外周側に位置する溝底面への締め代が設定されるとともに前記フィルター保持部および前記屈曲部は前記溝底面に対し非接触とされ、
前記装着溝の加工のばらつきにより前記装着溝の開口幅が設計値より小さいときは、前記屈曲部が径方向内方へ向け屈曲し、この屈曲した屈曲部に対し流体圧が作用することにより前記屈曲部はその屈曲の度合いを高めるように変形し、
前記装着溝の加工のばらつきにより前記装着溝の開口幅が設計値より大きいときは、前記屈曲部は殆ど変形せず、この殆ど変形していない屈曲部に対し流体圧が作用することにより前記屈曲部は前記溝底面に押し付けられることを特徴とするフィルター付きガスケット。
【請求項２】
請求項１記載のフィルター付きガスケットにおいて、
当該フィルター付きガスケットの初期状態にて、前記屈曲部はその最小外径寸法が前記固定部の外径寸法、前記固定部の内径寸法および前記フィルター保持部の外径寸法のいずれよりも小さく形成されていることを特徴とするフィルター付きガスケット。
【発明の詳細な説明】
【技術分野】
【０００１】
本発明は、密封装置の一種であるガスケットに係り、更に詳しくは、メッシュ等よりなるフィルターを備えるフィルター付きガスケットに関する。本発明のフィルター付きガスケットは例えば、自動車およびその補機の分野で用いられ、または一般産業機械の分野などで用いられる。
【背景技術】
【０００２】
従来から、図３に示すフィルター付きガスケット５１が知られており、以下のように構成されている。
【０００３】
すなわち先ず、メッシュ等よりなる円板状のフィルター５２が設けられており、このフィルター５２の周縁部５２ａがゴム状弾性体製のガスケット本体５３によって保持されている。ガスケット本体５３は図示するように、スクィーズ状ないしブロック状の断面形状に成形されている。
【０００４】
上記フィルター付きガスケット５１は、流体流路を備えるハウジングに装着され、具体的には、流体流路の回りに設けた環状のガスケット装着溝にガスケット本体５３が装着される。ガスケット装着溝はその開口を径方向内方へ向けて設けられ、このようなガスケット装着溝に装着されたガスケット本体は軸方向（溝幅方向）に圧縮される（つぶされる）ことになる。またガスケット装着溝の近傍にはハウジングの割り面が配置されることが多いので、流体流路を流れる流体がこの割り面から漏洩しないようにガスケット本体５３がシール機能を発揮する。
【０００５】
しかしながら上記ガスケット装着溝としては、その加工方法などによって溝寸法（特に溝幅寸法）のばらつきが大きいことがあり、このように溝寸法のばらつきが大きいガスケット装着溝にフィルター付きガスケット５１が装着されると、つぶしＭＡＸ（最大）時にはガスケット本体５３が過圧縮になってしまう懸念があり、また、つぶしＭＩＮ（最小）時には流体の漏れが懸念され、どちらの条件においても十分に機能するガスケットを成立させることは困難とされている。
【０００６】
尚、装着溝の加工のばらつきにより装着溝の開口幅が設計値より小さく形成されると、ガスケット本体５３のつぶし代が大きくなるので、上記のつぶしＭＡＸ時はこのときに発生する。また反対に、装着溝の加工のばらつきにより装着溝の開口幅が設計値より大きく形成されると、ガスケット本体５３のつぶし代が小さくなるので、上記つぶしＭＩＮ時はこのとき発生する。
【先行技術文献】
【特許文献】
【０００７】
【特許文献１】特開２００２−３９３９４号公報
【発明の概要】
【発明が解決しようとする課題】
【０００８】
本発明は以上の点に鑑みて、装着溝の加工のばらつきにより装着溝の開口幅が設計値より小さく形成されてもガスケット本体に過圧縮が発生しにくく、また装着溝の加工のばらつきにより装着溝の開口幅が設計値より大きく形成されても流体の漏れが発生しにくく、何れの場合をも満足させることができるフィルター付きガスケットを提供することを目的とする。
【課題を解決するための手段】
【０００９】
上記目的を達成するため、本発明の請求項１によるフィルター付きガスケットは、フィルターの周縁部をゴム状弾性体製のガスケット本体にて保持した構造であるとともに、径方向内方へ向け開口したガスケット装着溝に装着され、前記装着溝に装着されたときに前記ガスケット本体が軸方向に圧縮される構造のフィルター付きガスケットであって、前記ガスケット本体は、軸方向一端のフィルター保持部と軸方向他端の前記装着溝への固定部との間に屈曲部を有し、前記固定部はその外周側に位置する溝底面への締め代が設定されるとともに前記フィルター保持部および前記屈曲部は前記溝底面に対し非接触とされ、前記装着溝の加工のばらつきにより前記装着溝の開口幅が設計値より小さいときは、前記屈曲部が径方向内方へ向け屈曲し、この屈曲した屈曲部に対し流体圧が作用することにより前記屈曲部はその屈曲の度合いを高めるように変形し、前記装着溝の加工のばらつきにより前記装着溝の開口幅が設計値より大きいときは、前記屈曲部は殆ど変形せず、この殆ど変形していない屈曲部に対し流体圧が作用することにより前記屈曲部は前記溝底面に押し付けられることを特徴とする。
【００１０】
また、本発明の請求項２によるフィルター付きガスケットは、上記した請求項１記載のフィルター付きガスケットにおいて、当該フィルター付きガスケットの初期状態にて、前記屈曲部はその最小外径寸法が前記固定部の外径寸法、前記固定部の内径寸法および前記フィルター保持部の外径寸法のいずれよりも小さく形成されていることを特徴とする。
【００１１】
上記構成を備える本発明のフィルター付きガスケットにおいては、ガスケット本体が、スクィーズ状ないしブロック状ではなく、軸方向一端のフィルター保持部と軸方向他端の固定部との間に屈曲部を有する形状とされ、このうち固定部はその外周側に位置する溝底面への締め代が設定されるとともにフィルター保持部および屈曲部は溝底面に対し非接触とされている。屈曲部はその名のとおり圧縮荷重を受けて屈曲変形しやすいものである。
【００１２】
しかして本発明では、装着溝の加工のばらつきにより装着溝の開口幅が設計値より小さいときは、屈曲部が径方向内方へ向け屈曲し、この屈曲した屈曲部に対し流体圧が作用することにより屈曲部はその屈曲の度合いを高めるように変形する。したがってこのように屈曲部が屈曲変形することにより過圧縮の発生が抑制される。
【００１３】
また、装着溝の加工のばらつきにより装着溝の開口幅が設計値より大きいときは、屈曲部は殆ど変形せず、この殆ど変形していない屈曲部に対し流体圧が作用することにより屈曲部は溝底面に押し付けられる。したがってこのように屈曲部が溝底面に押し付けられることによりシール機能が発揮されるため、流体の漏れの発生が抑制される。
【００１４】
屈曲部が上記２通りの作用をなすには、屈曲部はその初期状態からある程度屈曲した形状とされることが望ましく、屈曲部はその最小外径寸法が固定部の外径寸法、固定部の内径寸法およびフィルター保持部の外径寸法のいずれよりも小さく形成されていることが望ましい。
【発明の効果】
【００１５】
本発明は、以下の効果を奏する。
【００１６】
すなわち本発明においては以上説明したように、装着溝の加工のばらつきにより装着溝の開口幅が設計値より小さいときには、屈曲部が径方向内方へ向け屈曲し、この屈曲した屈曲部に対し流体圧が作用することにより屈曲部はその屈曲の度合いを高めるように変形する。したがってこのように屈曲部が屈曲変形することによってガスケット本体が軸方向の圧縮荷重（つぶし荷重）を回避すべく作用するため、ガスケット本体に過圧縮が発生するのが抑制される。したがってガスケット本体の耐久性が高められる。
【００１７】
また、装着溝の加工のばらつきにより装着溝の開口幅が設計値より大きいときには、屈曲部は殆ど変形せず、この殆ど変形していない屈曲部に対し流体圧が作用することにより屈曲部は溝底面に押し付けられる。したがってこのように屈曲部が溝底面に押し付けられることによりシール機能が発揮されるため、流体の漏れが発生するのが抑制される。したがってガスケット本来のシール機能を十分に発揮することができる。
【図面の簡単な説明】
【００１８】
【図１】本発明の実施例に係るフィルター付きガスケットの断面図
【図２】同フィルター付きガスケットの初期状態および変形状態を示す説明図
【図３】従来例に係るフィルター付きガスケットの断面図
【発明を実施するための形態】
【００１９】
本発明には、以下の実施形態が含まれる。
（１）加工方法などによって溝寸法のばらつきが大きいハウジングに使用されるフィルター付きガスケットは、つぶしＭＡＸ時には過圧縮になってしまう懸念があり、またつぶしＭＩＮ時にはシールの漏れが懸念され、どちらの条件においても成立させるガスケットの成立は難しい。
（２）そこで、本発明では、膜に屈曲点を設ける、膜の下部の剛性を上げる、外周側にハウジングとの締め代がある、設定とする。
（３）つぶしＭＡＸ時には、膜が撓むことで膜にかかる歪みを吸収する。また、つぶしＭＩＮ時は膜が外周側に押し当てられることで、漏れを抑えることができる。この形状であるとハウジング溝の内外径差が小さいものでも対応できる。また加圧時とＳＥＴ時の歪みの差が小さくなり、繰り返し加圧による膜の疲労破壊しにくくなる。膜下部が締め代を持っているため、組み付け時等の脱落防止の効果もある。
（４）従来形状は、相手ハウジングに溝があるため、圧縮し圧力がかかった場合でも、内側にシールは倒れず、メッシュ部を塞がない。加圧時のフィルターの受けの設定がある。つぶしばらつきが小さいため、最低つぶし代を確保しても、つぶしＭＡＸで過圧縮とならない。したがって以下のような条件の場合は、従来形状は設定できない。内外径差の寸法を取れない。フィルター受けを設定できない。つぶしばらつきが大きい。
【実施例】
【００２０】
つぎに本発明の実施例を図面にしたがって説明する。
【００２１】
図１は、本発明の実施例に係るフィルター付きガスケット１１の初期状態（自由状態）の断面を示している。当該実施例に係るフィルター付きガスケット１１は、メッシュ等よりなる円板状ないし平板状のフィルター２１を有し、このフィルター２１の周縁部２１ａが環状をなすゴム状弾性体製のガスケット本体３１によって保持されている。また当該実施例に係るフィルター付きガスケット１１は図２に示すように、径方向内方へ向けて開口したガスケット装着溝４３に装着されるものであって、ガスケット装着溝４３にガスケット本体３１が装着されたとき、ガスケット本体３１は軸方向（溝幅方向）に圧縮された状態とされる。ガスケット装着溝４３は、ハウジング４１に設けた流体流路４２の回りに環状溝として設けられ、その断面形状は矩形で、円筒面状の溝底面４３ａおよび軸直角平面状の一対の溝側面４３ｂ，４３ｃを有している。またガスケット装着溝４３の近傍には、ハウジング４１の割り面４４が設けられている。
【００２２】
ゴム状弾性体よりなるガスケット本体３１は、軸方向一端のフィルター保持部３２と軸方向他端の装着溝４３への固定部３３とを有し、この両者３２，３３の間に屈曲部３４が一体に設けられている。ゴム状弾性体は例えばアクリルゴムとされる。
【００２３】
固定部３３は、所定の径方向幅および軸方向長さを備え、円筒面状の外周面３３ａ、同じく円筒面状の内周面３３ｂおよび軸直角平面状の端面３３ｃを有している。初期状態における固定部３３の外径寸法ｄ１は、装着溝４３の溝底面４３ａの径寸法ｄ２（図示せず）より大きく設定され、よって固定部３３には、その外周側に位置する溝底面４３ａに対する締め代が設定されている。
【００２４】
フィルター保持部３２は、所定の径方向幅および軸方向長さを備え、円筒面状の外周面３２ａ、同じく円筒面状の内周面３２ｂおよび軸直角平面状の端面３２ｃを有している。初期状態におけるフィルター保持部３２の外径寸法ｄ３は、固定部３３の外径寸法ｄ１および装着溝４３の溝底面４３ａの径寸法ｄ２のいずれよりも小さく設定され、よってフィルター保持部３２は屈曲部３４とともに溝底面４３ａに対し非接触とされている。尚、端面３２ｃ上には、環状をなす段差部３２ｄを設けている。これはビード形状でも可で、これらの段差部３２ｄやビード部にはシール性能を向上させる効果がある。また段差部３２ｄには、ここに成形時の注入口（金型キャビティに成形材料を注入するために金型に設けられる注入口）を設定しやすい効果もある。
【００２５】
屈曲部３４は、所定の径方向幅および軸方向長さを備え、その全体としてなだらかに湾曲する膜状に成形され、その外周面３４ａに環状をなす断面円弧状の凹部３４ｂが設けられている。凹部３４ｂの底部（最深部）は当該屈曲部３４における最小外径寸法ｄ４を形成し、この最小外径寸法ｄ４は、固定部３３の外径寸法ｄ１、固定部３３の内径寸法ｄ５およびフィルター保持部３２の外径寸法ｄ３のいずれよりも小さく設定されている。凹部３４ｂの上端部は曲面部を介してなだらかにフィルター保持部３２の外周面３２ａに連なっており、凹部３４ｂの下端部はこれも曲面部を介してなだらかに固定部３３の外周面３３ａに連なっている。
【００２６】
一方、屈曲部３４の内周面３４ｃは、円筒面状の部位３４ｄを有し、この円筒面状の部位３４ｄから内径寸法が徐々に拡大する曲面状の部位３４ｅを介してなだらかに固定部３３の内周面３３ｂに連なっている。上記したように屈曲部３４の最小外径寸法ｄ４は固定部３３の内径寸法ｄ５より小さく設定されているので、屈曲部３４の最小内径寸法ｄ６も固定部３３の内径寸法ｄ５より小さく設定されている。
【００２７】
したがって屈曲部３４は、その外周面３４ａに断面円弧状の凹部３４ｂを有するとともにその内周面３４ｃに円筒面状の部位３４ｄおよび内径寸法が徐々に拡大する曲面状の部位３４ｅを有しているので、その初期状態からある程度、径方向内方へ向けて屈曲した形状に成形されている。
【００２８】
上記したようにフィルター付きガスケット１１は、径方向内方へ向け開口したガスケット装着溝４３に装着されるものであって、ガスケット装着溝４３にガスケット本体３１が装着されたとき、このガスケット本体３１は軸方向に圧縮された状態とされる。ここで、ガスケット装着溝４３としては、その加工方法などによって溝寸法（特に溝幅寸法）のばらつきが大きいことがあり、これに応じてフィルター付きガスケット１１は、以下のように作動（変形）する。
【００２９】
すなわち、ガスケット装着溝４３の加工のばらつきによりガスケット装着溝４３の開口幅（溝幅）が設計値（しきい値）より小さいときには、図２左列の中段に示すように装着状態において、屈曲部３４は径方向内方へ向け屈曲し、この屈曲した屈曲部３４に対し流体圧が作用すると図２左列の下段に示すように屈曲部３４はその屈曲の度合いを高める（深める）ように変形する。したがってこのように屈曲部３４が屈曲変形することによってガスケット本体３１が軸方向の圧縮荷重を回避すべく作用するため、ガスケット本体３１に過圧縮が発生するのが抑制される。したがってガスケット本体３１の耐久性を高めることができる。
【００３０】
また、ガスケット装着溝４３の加工のばらつきによりガスケット装着溝４３の開口幅（溝幅）が設計値（しきい値）より大きいときには、図２右列の中段に示すように装着状態において、屈曲部３４は変形せず、この変形していない屈曲部３４に対し流体圧が作用すると図２右列の下段に示すように屈曲部３４はガスケット装着溝４３の溝底面４３ａに押し付けられる。したがってこのように屈曲部３４が溝底面４３ａに押し付けられることによりシール機能が発揮されるため、流体の漏れが発生するのが抑制される。したがってガスケット本来のシール機能を十分に発揮することができる。
【００３１】
上記屈曲部３４は、その形状からして膜部とも称され、また、その機能からして可撓部もしくは易変形部とも称される。
【符号の説明】
【００３２】
１１  フィルター付きガスケット
２１  フィルター
２１ａ  周縁部
３１  ガスケット本体
３２  フィルター保持部
３２ａ，３３ａ，３４ａ  外周面
３２ｂ，３３ｂ，３４ｃ  内周面
３２ｃ，３３ｃ  端面
３２ｄ  段差部
３３  固定部
３４  屈曲部
３４ｂ  凹部
３４ｄ  円筒面状部位
３４ｅ  曲面状部位
４１  ハウジング
４２  流体流路
４３  ガスケット装着溝
４３ａ  溝底面
４３ｂ，４３ｃ  溝側面
４４  割り面
【図１】
2015075212.tif 000003
【図２】
2015075212.tif 000004
【図３】
2015075212.tif 000005